(57)【要約】【課題】  ＲＦＩＤタグへの書き込みエラー発生時のエラー処理の改善を図ることを目的とする。【解決手段】  ラベル紙のラベルに付加されたＲＦＩＤタグと通信を行うことにより所定の情報を書き込む書込み工程（ステップＳ９０４）と、前記ラベル表面に所定の記録画像を記録する記録工程（ステップＳ９０４）と、ＲＦＩＤタグ書き込みエラーが生じた場合に、前記書込み工程における情報の書き込みおよび前記記録工程における記録画像の記録を停止する第１の設定と、該ＲＦＩＤタグが付加された記録媒体の次に搬送される記録媒体への該情報の書き込みおよび該記録画像の記録を行う第２の設定のいずれかを受信する受信工程と、を備え、ＲＦＩＤタグ書き込みエラーが生じた場合に、前記書込み工程および前記記録工程は、前記受信工程により受信された設定に基づいて動作することを特徴とする（ステップＳ９０６）。【選択図】  図８
2007007962.tif 000002
【特許請求の範囲】
【請求項１】
連続して搬送される記録媒体に付加されたＲＦＩＤタグと通信を行うことにより所定の情報を書き込む書込み手段と、
前記記録媒体の表面に所定の記録画像を記録する記録手段と、
ＲＦＩＤタグとの通信において不具合が生じた場合に、該ＲＦＩＤタグが付加された記録媒体への前記書込み手段による情報の書き込みおよび前記記録手段による記録画像の記録を停止する第１の設定と、ＲＦＩＤタグとの通信において不具合が生じた場合に、該ＲＦＩＤタグが付加された記録媒体の次に搬送される記録媒体への該情報の書き込みおよび該記録画像の記録を行う第２の設定のいずれかを受信する受信手段と、を備え、
ＲＦＩＤタグとの通信において不具合が生じた場合に、前記書込み手段および前記記録手段は、前記受信手段により受信された設定に基づいて動作することを特徴とする記録装置。
【請求項２】
ＲＦＩＤタグとの通信において不具合が生じた場合に、該不具合が連続して発生した回数を計測する計測手段を更に備え、
前記書込み手段および前記記録手段は、前記設定手段において前記第２の設定がなされていた場合であっても、前記計測手段により計測された回数が所定回数を超えた場合には、前記情報の書き込みおよび記録画像の記録を停止することを特徴とする請求項１に記載の記録装置。
【請求項３】
ＲＦＩＤタグが付加された記録媒体が連続して配された帯状の媒体を搬送する搬送手段と、
前記ＲＦＩＤタグと通信を行うことにより所定の情報を書き込む書込み手段と、
前記記録媒体の表面に所定の記録画像を記録する記録手段と、
ＲＦＩＤタグとの通信において不具合が生じた場合に、該ＲＦＩＤタグが付加された記録媒体が識別できるように、前記帯状の媒体の所定の位置を切断する切断手段と
を備えることを特徴とする記録装置。
【請求項４】
前記切断手段は、
前記ＲＦＩＤタグが付加された記録媒体の搬送方向下流側の位置において、前記帯状の媒体を切断することを特徴とする請求項３に記載の記録装置。
【請求項５】
前記切断手段は、
前記ＲＦＩＤタグが付加された記録媒体の搬送方向上流側の位置において、前記帯状の媒体を切断することを特徴とする請求項３に記載の記録装置。
【請求項６】
前記切断手段は、
前記ＲＦＩＤタグが付加された記録媒体の搬送方向下流側の位置および搬送方向上流側の位置の両方において、前記帯状の媒体を切断することを特徴とする請求項３に記載の記録装置。
【請求項７】
前記切断手段は、
前記ＲＦＩＤタグが付加された記録媒体の位置において、該記録媒体とともに前記帯状の媒体を切断することを特徴とする請求項３に記載の記録装置。
【請求項８】
前記切断手段は、
前記帯状の媒体を幅方向全域にわたって切断することを特徴とする請求項４乃至７のいずれか１項に記載の記録装置。
【請求項９】
前記切断手段は、
前記帯状の媒体を幅方向の一部について切断することを特徴とする請求項４乃至７のいずれかに１項に記載の記録装置。
【請求項１０】
前記切断手段による切断方法の設定を受信する受信手段を更に備えることを特徴とする請求項３に記載の記録装置。
【請求項１１】
連続して搬送される記録媒体に付加されたＲＦＩＤタグと通信を行うことにより所定の情報を書き込む書込み工程と、
前記記録媒体の表面に所定の記録画像を記録する記録工程と、
ＲＦＩＤタグとの通信において不具合が生じた場合に、該ＲＦＩＤタグが付加された記録媒体への前記書込み工程における情報の書き込みおよび前記記録工程における記録画像の記録を停止する第１の設定と、ＲＦＩＤタグとの通信において不具合が生じた場合に、該ＲＦＩＤタグが付加された記録媒体の次に搬送される記録媒体への該情報の書き込みおよび該記録画像の記録を行う第２の設定のいずれかを受信する受信工程と、を備え、
ＲＦＩＤタグとの通信において不具合が生じた場合に、前記書込み工程および前記記録工程は、前記受信工程において受信された設定に基づいて動作することを特徴とする記録装置における記録制御方法。
【請求項１２】
ＲＦＩＤタグが付加された記録媒体が連続して配された帯状の媒体を搬送する搬送工程と、
前記ＲＦＩＤタグと通信を行うことにより所定の情報を書き込む書込み工程と、
前記記録媒体の表面に所定の記録画像を記録する記録工程と、
ＲＦＩＤタグとの通信において不具合が生じた場合に、該ＲＦＩＤタグが付加された記録媒体が識別できるように、前記帯状の媒体の所定の位置を切断する切断工程と
を備えることを特徴とする記録装置における記録制御方法。
【請求項１３】
請求項１１または１２に記載の記録制御方法をコンピュータによって実現させるための制御プログラムを格納した記憶媒体。
【請求項１４】
請求項１１または１２に記載の記録制御方法をコンピュータによって実現させるための制御プログラム。
【発明の詳細な説明】
【技術分野】
【０００１】
本発明は記録装置及び記録制御方法に関し、特に、ＲＦＩＤタグ等を内蔵する記録媒体と通信を行うＲＦＩＤ書き込み機能を搭載するとともに、その記録媒体を搬送させ、フルライン記録ヘッド等を用いて記録画像を該記録媒体表面に記録する記録機能を搭載する記録装置及びその記録制御方法に関する。
【背景技術】
【０００２】
半導体技術及び電子通信技術の発達により、非接触で電子情報の送受信を行うことが可能なＲＦＩＤ（Radio Frequency Identification）が実用化され、近年、これを用いた自動認識システム（以下、「ＲＦＩＤシステム」と称す）の開発が進められている。
【０００３】
一般にＲＦＩＤシステムは、電子回路を搭載し電子情報を保持するＲＦＩＤタグとＲＦＩＤタグをコントロールするＲＦＩＤリーダ／ライタとで構成され、電子情報の新規書き込みや追記、複数のＲＦＩＤタグとの同時通信等が可能であることや、障害物等の影響を受けにくいといった特徴を有している。これらはバーコードや二次元コードなどの自動認識システムには無い特徴である。このため、これまでバーコードや二次元コードでは自動認識が困難であった分野のみならず、従来のバーコードや二次元コードによる自動認識システムで自動化が行われていた、物流・流通等の分野においても、その利便性からＲＦＩＤシステムの適用が注目されるようになってきている。
【０００４】
ここで、カードやラベルなどの記録媒体にＲＦＩＤタグを内蔵させ、ＲＦＩＤシステムにて使用する場合には、記録媒体表面への記録画像の記録とＲＦＩＤタグへの電子情報の書き込みとを予め行っておく必要があるが、最近では、これらの作業を別々の装置で分担して行うのではなく、記録装置にＲＦＩＤタグへの書き込み機能も搭載させ、記録媒体表面への記録画像の記録と、ＲＦＩＤタグへの電子情報の書き込みとを一括して行うＲＦＩＤタグ書き込み機能付きの記録装置が使用されるようになってきている。
【０００５】
ここで、ＲＦＩＤタグには通信アンテナのサイズや、使用されるＩＣチップの違いなどにより多数の種類が存在し、その種類によって最大容量、通信範囲、通信時間等がそれぞれ異なっている。
【０００６】
従来のＲＦＩＤタグ書き込み機能付き記録装置は、複数の種類のＲＦＩＤタグに対応しているのが一般的である。そして、ＲＦＩＤタグの種類により異なる通信条件に対応するために、ＲＦＩＤタグに情報を書き込む際には、通常、ＲＦＩＤリーダ／ライタ側のＲＦＩＤアンテナの下に記録媒体に取付けられたＲＦＩＤタグを移動させた後、記録媒体の搬送を停止させたうえで行っている。
【０００７】
しかしながら、従来の記録装置の中には搬送を停止させることなく記録画像の記録を行うことが可能な記録装置も存在し、このような記録装置においてＲＦＩＤタグへの電子情報の書き込みのために搬送を停止させることとすると、処理全体のスループットが低下してしまう。
【０００８】
特に、複数のフルライン記録ヘッドを持つカラー記録装置の場合は、そのフルライン記録ヘッドを記録媒体の搬送方向に複数並べて配置するという構成をとり、使用する記録媒体のサイズによっては複数枚の記録媒体に平行的に記録を行うことでスループットの向上を図っている。
【０００９】
しかしながら、このような構成の記録装置であっても、ＲＦＩＤタグに電子情報を書き込むためにＲＦＩＤタグとの通信位置で記録媒体の搬送を停止させてしまうと、ＲＦＩＤタグへの書き込みが終了し、再び搬送を行うまで次の記録媒体を給紙することができず、スループットの向上は望めない。特に記録媒体（ラベル）が連続するラベル紙に記録画像の記録を行う場合にあっては、一枚を記録するごとに記録媒体を戻す動作が必要となるためスループットの低下が著しくなってしまう。
【００１０】
このような背景のもと、上記問題を解決するために、記録媒体の搬送を停止させず、搬送させた状態のままで、ＲＦＩＤタグへの書き込みを行う記録制御方法が提案されている（例えば、特許文献１参照）。
【特許文献１】特開２００２−２０２６号公報
【発明の開示】
【発明が解決しようとする課題】
【００１１】
しかしながら、このような記録制御方法を使用してスループットの低下を防いだとしても、ＲＦＩＤタグに故障があった場合（ＲＦＩＤタグへの書き込みエラーが発生した場合）には、スループットの低下は免れない。ＲＦＩＤタグに故障があった場合には、書き込みエラーとして取り扱い、正常な記録媒体と区別して当該故障のある記録媒体を排出し、停止することとしているからである。
【００１２】
また、上述のような記録制御方法によれば、書き込みエラーに対するリカバリー処理（エラー処理）に人手を介在させる必要があることから、記録装置を常に監視しなければならないといった問題もある。
【００１３】
一方、このような問題に対しては、書き込みエラーが生じた場合であっても搬送を停止させず、ＲＦＩＤタグに故障のあった記録媒体に書き込む予定の電子情報を次の記録媒体に書き込むことで対処することが考えられる。このような方法によれば、書き込みエラーが発生したとしてもエラー処理に人手を介在させる必要がなく、しかもＲＦＩＤタグ故障によるスループットの低下は最小限に抑えられる。しかしながら、当該方法の場合、書き込みエラーの発生した記録媒体と正常に書き込みが終了した記録媒体との判別が困難であるという問題がある。
【００１４】
このように、従来の記録装置の場合、ＲＦＩＤタグへの書き込みエラー発生時のエラー処理において得手不得手が存在していた。
【００１５】
本発明は上記課題に鑑みてなされたものであり、ＲＦＩＤタグへの書き込みエラー発生時のエラー処理の改善を図ることを目的とする。
【００１６】
より具体的には、第１に、エラー処理方法を使用状況に応じて選択可能にすることで、エラー発生時のエラー処理をユーザが最適化できるようにすることを目的とする。第２に、ＲＦＩＤタグへの書き込みエラー発生時に、当該ＲＦＩＤタグをカット処理することで、書き込みエラーの発生したＲＦＩＤタグの判別を容易にすることを目的とする。
【課題を解決するための手段】
【００１７】
上記の目的を達成するために本発明に係る記録装置は以下のような構成を備える。即ち、
連続して搬送される記録媒体に付加されたＲＦＩＤタグと通信を行うことにより所定の情報を書き込む書込み手段と、
前記記録媒体の表面に所定の記録画像を記録する記録手段と、
ＲＦＩＤタグとの通信において不具合が生じた場合に、該ＲＦＩＤタグが付加された記録媒体への前記書込み手段による情報の書き込みおよび前記記録手段による記録画像の記録を停止する第１の設定と、ＲＦＩＤタグとの通信において不具合が生じた場合に、該ＲＦＩＤタグが付加された記録媒体の次に搬送される記録媒体への該情報の書き込みおよび該記録画像の記録を行う第２の設定のいずれかを受信する受信手段と、を備え、
ＲＦＩＤタグとの通信において不具合が生じた場合に、前記書込み手段および前記記録手段は、前記受信手段により受信された設定に基づいて動作することを特徴とする。
【発明の効果】
【００１８】
本発明によれば、ＲＦＩＤタグへの書き込みエラー発生時のエラー処理の改善を図ることが可能となる。
【００１９】
より具体的には、第１に、エラー処理方法を使用状況に応じて選択可能にすることで、エラー発生時のエラー処理をユーザが最適化できるようになる。第２に、ＲＦＩＤタグへの書き込みエラー発生時に、当該ＲＦＩＤタグをカット処理することで、書き込みエラーの発生したＲＦＩＤタグの判別を容易にすることが可能となる。
【発明を実施するための最良の形態】
【００２０】
以下添付図面を参照して本発明の好適な実施形態について、具体的かつ詳細に説明する。
【００２１】
なお、以下に説明する実施形態では、インクジェット方式に従うフルライン記録ヘッドを用いた記録装置を用いた記録システムを例に挙げて説明する。
【００２２】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合を表すものとする。
【００２３】
また、「記録媒体」とは、一般的な記録装置で用いられる紙のみならず、広く、布、プラスチック・フィルム、金属板、ガラス、セラミックス、木材、皮革等、インクを受容可能なものも表すものとする（なお、以下の実施形態では、記録媒体とはＲＦＩＤタグが付加されたラベルを指し、該記録媒体が連続して配された帯状の媒体とはラベル紙を指すものとする）。
【００２４】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２５】
またさらに、「ノズル」とは、特に断らない限り吐出口ないしこれに連通する液路およびインク吐出に利用されるエネルギーを発生する素子を総括して言うものとする。
【００２６】
［第１の実施形態］
＜記録システムの構成＞
図１は本発明の第１の実施形態にかかる記録装置を備える記録システムの構成を示す図であり、インクジェット方式に従うフルライン記録ヘッドを用いたカラー記録装置１０１（以下、記録装置という）とホストコンピュータ１００（以下、ホストという）とを備える。図１に示すように、記録装置１０１とホスト１００とは、プリンタケーブル１０７で接続され、ホスト１００で処理された各種データが記録装置１０１で記録されるよう構成されている。
【００２７】
記録装置１０１は、後述のフルライン記録ヘッド（以下、記録ヘッドという）やＲＦＩＤ用通信アンテナ、及び搬送部を開閉するための上部カバー１０３と、記録ヘッドに供給される記録剤としてのインクを貯蓄するタンク部を開閉するための前カバー１０４と、記録媒体を記録部１０８に給送する給紙部１０２と、記録部１０８から搬送される記録媒体をカットするカッター部１０９により外郭が構成されている。
【００２８】
さらに、図１において、１０５は記録装置の電源スイッチである。また、１０６は記録装置１０１に操作環境の設定を行うための入力キーや記録装置１０１のエラー発生状況をユーザに知らせるための表示手段とを備えた操作パネルである。操作パネルは、ＬＥＤ１１０、ＬＣＤ１１１、ボタン１１２から構成される。
【００２９】
＜記録媒体の構成＞
図２は記録装置１０１が記録媒体として使用するＲＦＩＤタグ内蔵ラベルが配されたＲＦＩＤタグ内蔵連続ラベル紙２００の模式図である。
【００３０】
図２に示すＲＦＩＤタグ内蔵連続ラベル紙２００は、裏面が粘着加工されたＲＦＩＤタグ内蔵ラベル（記録媒体）２０１とそのＲＦＩＤタグ内蔵ラベルを連続紙として固定するための台紙（媒体）２０６とＲＦＩＤタグ２０５から成っている。ＲＦＩＤタグ２０５は電子情報を記憶するための不揮発性メモリを搭載したＩＣチップ２０３とループアンテナ２０２とから構成され、紙、もしくはＰＥＴ樹脂のフィルム２０４により覆われている。ＲＦＩＤタグ内蔵ラベル２０１は電源を持たず、記録装置１０１に配設する後述のＲＦＩＤ用通信アンテナから発生される電波を利用して電力を創成する。そして、これを内部電源とすることでＲＦＩＤ通信アンテナを介して送信された電子情報がＲＦＩＤタグ２０５に書き込まれることとなる。
【００３１】
＜記録装置のハードウェア構成＞
図３は、図１に示した記録装置１０１の概略構成を示す断面図であり、図４は図１に示した記録装置１０１が用いる記録ヘッド及びＲＦＩＤ用通信アンテナの配置を模式的に説明する斜視図である。
【００３２】
記録装置１０１には最大６色の異なるインクを用いて記録することができるように６つのフルライン記録ヘッドが備えられており、図３及び図４に示されているように、記録媒体の搬送方向の上流方向から順に、ブラックインクを吐出する記録ヘッド３０６Ｂｋ、シアンインクを吐出する記録ヘッド３０６Ｃ、淡シアンインクを吐出する記録ヘッド３０６ＬＣ、マゼンタインクを吐出する記録ヘッド３０６Ｍ、淡マゼンタインクを吐出する記録ヘッド３０６ＬＭ、及びイエロインクを吐出する記録ヘッド３０６Ｙが備えられている。なお、これら６つの記録ヘッドを総称して言及するときには参照番号３０５を用いるものとする。さらに、記録ヘッド３０５の上流側にはＲＦＩＤ用通信アンテナ３０３が設けられている。
【００３３】
図３に示すように、記録ヘッド３０５の下側に位置する搬送部３０２では、給紙部１０２にセットされたＲＦＩＤタグ内蔵ラベル２０１が後述する給送方法で記録ヘッド３０５による記録位置に向けて搬送されると、ＴＯＦセンサ３０４によりその位置が管理され、ＲＦＩＤ用通信アンテナ３０３の通信位置に搬送されると、ＲＦＩＤ用通信アンテナ３０３を介して内蔵されたＲＦＩＤタグ２０５への電子情報の書き込みが開始される。
【００３４】
さらに、ＲＦＩＤタグ内蔵ラベル２０１が搬送され、続いて、その記録位置に達すると６つの記録ヘッド３０６Ｂｋ、３０６Ｃ、３０６ＬＣ、３０６Ｍ、３０６ＬＭ、３０６Ｙによってインクが吐出され、ＲＦＩＤタグ内蔵ラベル２０１上に記録画像が記録され、最終的にカッター部１０９に搬出される。カッター部１０９ではホスト１００から設定されている動作設定により、記録済みのＲＦＩＤ内蔵ラベル２０１のカットを行う。
【００３５】
搬送部３０２の下には、各記録ヘッド３０６Ｂｋ、３０６Ｃ、３０６ＬＣ、３０６Ｍ、３０６ＬＭ、３０６Ｙに供給される専用のインクを貯蓄するタンク部３０１が着脱自在に固定されている。
【００３６】
＜記録装置の制御機能構成＞
図５は記録装置１０１の制御機能構成を示すブロック図である。
【００３７】
図５において、６０１は記録装置全体を制御するメインコントローラであり、ＣＰＵ６０１ａを内蔵し、後述する入力データを記憶するための記憶制御機能、データ制御機能、及び、記録動作に必要な種々の設定のための設定制御機能などを有する。メインコントローラ６０１はインタフェース（不図示）を介してホスト１００に接続され、互いに信号の授受を行うことができる。また、６０２はメインコントローラ６０１に接続され、制御プログラムなどを格納するＲＯＭであり、それらのプログラムに従いメインコントローラ６０１はＲＡＭ６１２を作業領域として使用して動作する。
【００３８】
また、ＲＡＭ６１２にはホスト１００から転送されＲＦＩＤタグ２０５に書き込む電子情報が一時的に格納され、メインコントローラ６０１に接続されたＲＦＩＤ通信回路６０９がＲＦＩＤ用通信アンテナ３０３を通して、ＲＡＭ６１２に格納された該電子情報をＲＦＩＤタグに書き込む。
【００３９】
６０６はホスト１００から送信されてきた記録画像を格納するイメージバッファメモリであり、６０６Ｂｋはブラック成分の記録画像を一時的に格納するブラックイメージバッファ、同様に６０６Ｃ、６０６ＬＣ、６０６Ｍ、６０６ＬＭ、６０６Ｙはシアン成分、マゼンタ成分、淡マゼンタ成分、シアン成分、淡シアン成分、イエロ成分の記録画像を一時的に格納するイメージバッファメモリである。
【００４０】
６０３は記録ヘッド３０６Ｂｋ、３０６Ｃ、３０６ＬＣ、３０６Ｍ、３０６ＬＭ、３０６Ｙに内蔵される発熱体（不図示）を駆動させるヘッド駆動回路であり、メインコントローラ６０１に接続されたドライバコントローラ６０７が、イメージバッファメモリ６０６に格納された各色成分のビットマップ形式で記録された記録画像に従ってヘッド駆動回路６０３を制御することで該記録画像を記録する。
【００４１】
６０４Ｄは搬送部３０２に設けられたフィードモータ６０４を駆動するモータドライバ、６００は給紙部１０２のロールユニットを駆動させるモータ６０５を駆動する駆動回路、６１３はカッター部１０９を駆動させるモータ６０８を駆動する駆動回路であり、いずれもメインコントローラ６０１によって制御される。また、６１１は前述したＴＯＦセンサ３０４を含む種々のセンサを総称したセンサ回路である。
【００４２】
＜制御コマンドの構造＞
図６はホスト１００から送信される種々の制御コマンドの構造を示した図である。
【００４３】
図６に示すように、全てのコマンドは、そのコマンドの先頭にコマンドの種類を識別する識別コードが配置され、その識別コードに続いて、そのコマンドに関する付帯的な指示を設定するオペランドが続く。なお、コマンドの種類によっては、オペランドがなく、識別コードのみで構成される場合もある。
【００４４】
制御コマンドとしては、記録媒体、例えば、ラベルのサイズ等を設定する用紙設定コマンド５０１、記録データの基準となる設定が存在するフォーマットコマンド５０２、記録装置本体の動作設定をする記録装置動作設定コマンド５１２、文字、イメージ、ＲＦＩＤ夫々の詳細情報を設定するデータコマンド５０３、５０４、５０５、記録データの終了を示しジョブの開始を指示するジョブ開始コマンド５１０などがある。
【００４５】
それらのコマンドは記録コマンド転送例５１１に示されるようなコマンド列としてホスト１００から記録装置１０１に出力される。
【００４６】
なお、ＲＦＩＤタグ２０５のＩＣチップ２０３の種類は用紙設定コマンド５０１のＩＣチップタイプオペランド５０６に、ＲＦＩＤタグサイズはＲＦＩＤタグ取付位置オペランド５０７に設定される。また、記録装置の給紙モードは記録装置動作設定コマンド５１２の給紙モードオペランド５１３に、記録装置の搬送速度は搬送速度オペランド５１４に、記録装置のＲＦＩＤタグ書き込みエラー発生時の処理方法の設定はＲＦＩＤタグ書き込みエラー処理オペランド５１５に設定される。ＲＦＩＤ書き込みエラー処理オペランド５１５には、ＲＦＩＤタグ書き込みエラー発生時搬送停止または継続の設定、ＲＦＩＤタグ書き込みエラー発生時に搬送を停止しない最大回数の設定、書き込みエラーの発生したＲＦＩＤタグのカット設定等が設定される。ＩＣチップ２０３に書き込む電子情報のデータ量はＲＦＩＤデータコマンド５０５のデータ長オペランド５０８に設定され、電子情報はデータオペランド５０９に設定される。
【００４７】
＜記録装置における処理の流れ＞
次に以上の構成の記録システムにおけるＲＦＩＤタグへの書き込みを含む記録処理について、図７〜図８を参照しながら説明する。
【００４８】
図７（ａ）はＲＦＩＤタグ通信時における記録処理の遷移を示す図であり、図７（ｂ）はＲＦＩＤタグ書き込みエラー処理オペランド５１５の設定が搬送停止だった場合にＲＦＩＤタグ書き込みエラーが発生した際の処理、図７（ｃ）はＲＦＩＤタグ書き込みエラー処理オペランド５１５の設定が搬送継続かつ、停止しない最大回数が無制限だった場合にＲＦＩＤタグ書き込みエラーが発生した際の処理、図７（ｄ）はＲＦＩＤタグ書き込みエラー処理オペランド５１５の設定が搬送継続かつ、停止しない最大回数が２回だった場合にＲＦＩＤタグ書き込みエラーが発生した際の処理、図８はＲＦＩＤタグ書き込みエラーが発生した場合のエラー処理選択を示したフローチャートである。なお、この記録処理は、記録装置１０１の処理部であるＣＰＵ６０１ａが、例えば、ＲＯＭ６０２に格納されたアプリケーションソフトを実行することにより実現される。
【００４９】
以下、図８に示すフローチャートに沿って説明する。
【００５０】
記録枚数や用紙サイズ、ＲＦＩＤタグの書き込みエラー発生時の動作設定、ＩＣチップ２０３の種類などの各種パラメータと記録画像、及びＩＣチップ２０３に書き込む電子情報は、記録処理を指示するコマンドと共にホスト１００から記録装置１０１に送信される。
【００５１】
このアプリケーションが起動されると、ステップＳ９０１において、ホスト１００から送信される制御コマンドを受信し、記録画像はイメージバッファメモリ６０６Ｂｋ〜６０６Ｙに、その他、上述の電子情報はＲＡＭ６１２に記憶する。
【００５２】
記録画像や電子情報には夫々、情報の属性を示す付帯情報が加えられており、ステップＳ９０１での受信を終了した後、ステップＳ９０２では電子情報の有無を判断する。ここでは、ＲＦＩＤデータコマンドの有無を判断する。
【００５３】
ここで、ＲＦＩＤデータコマンドがある、即ち、ＩＣチップ２０３に書き込む電子情報が存在すると判断された場合は、ステップＳ９０３に進み、記録媒体の搬送を開始する。搬送開始後、記録媒体がＲＦＩＤ用通信アンテナ３０３の通信範囲位置７０１に搬送されると、ステップＳ９０４では、ＲＦＩＤ用通信アンテナ３０３を介して内蔵されたＲＦＩＤタグ２０５に対して電子情報の書き込みが開始される。さらに続いて、記録媒体が搬送され、記録位置（各記録ヘッドの直下）に達すると、ＲＦＩＤタグ２０５への書き込みと平行して、各記録ヘッド３０６Ｂｋ、３０６Ｃ、３０６ＬＣ、３０６Ｍ、３０６ＬＭ、３０６Ｙによってインクが吐出され、ＲＦＩＤタグ内蔵ラベル２０１上に記録画像が記録される。
【００５４】
ＲＦＩＤタグ２０５への電子情報の書き込み終了後、ステップＳ９０５では、書き込みが正常に終了したかどうかを調べる。ここで、その書き込みが正常終了したと判断され、次の記録媒体へ記録する記録画像が存在する場合は、図７（ａ）に示すように次の記録媒体への記録を開始し、上述した処理を平行して実行する。そして、ＲＦＩＤタグ内蔵ラベル２０１の表面への記録終了後、ステップＳ９１７で記録媒体をカッター部１０９に搬出する。
【００５５】
これに対して、ステップＳ９０５での判断において、いくつかの記録媒体への電子情報の書き込みが成功した後、ＲＦＩＤタグ２０５への電子情報の書き込みが正常に終了しなかったと判断された場合は、ステップＳ９０６に進み、ホスト１００から設定されたＲＦＩＤタグの書き込みエラー発生時の動作設定（ＲＦＩＤタグ書き込みエラー処理オペランド５１５）を参照する。動作設定がＲＦＩＤタグ書き込みエラー発生時搬送停止となっていた場合はステップＳ９０７に進み、図７（ｂ）に示すようにエラーの発生した記録媒体への記録を中止する。さらにステップＳ９０８に進み操作パネル１０６内のＬＣＤ１１１にＲＦＩＤタグへの書き込みエラーが発生した旨のメッセージを表示し、ユーザにエラーが発生したことを通知する。そして、ステップＳ９０９において、ＲＦＩＤタグ書き込みエラーの発生した記録媒体をカッター部１０９に排出し、その後、ステップＳ９１０で記録媒体の搬送を停止しユーザがエラーを解除するまで待機する。
【００５６】
なお、ユーザがエラーを解除した後は、エラー発生時の電子情報及び記録画像から再び書き込み／記録を再開する。
【００５７】
ステップＳ９０６で動作設定がＲＦＩＤタグ書き込みエラー発生時搬送継続の場合は、ステップＳ９１１にてさらに、ＲＦＩＤタグ書き込みエラー連続発生最大回数（ＲＦＩＤ書き込みエラー発生時に搬送を停止しない最大回数）を確認し、最大回数が無制限の場合は、図７（ｃ）に示すようにエラーが発生しても、搬送を停止せず次の記録媒体に書き込みエラーの発生した電子情報および記録画像の書き込み／記録を行う。
【００５８】
ステップＳ９１１で最大回数があった場合は、ステップＳ９１２に進み継続回数カウンタが最大回数に到達したかを確認する。最大回数に到達していなければ継続回数カウンタを加算したのちステップＳ９０３に進み書き込みを続ける。
【００５９】
ステップＳ９１２で最大回数に到達していれば、ステップＳ９１７に進み記録を中止する。図７（ｄ）は最大回数２回に設定された際の動作を示している。１回目のＲＦＩＤタグ書き込みエラーではＲＦＩＤタグの書き込みエラーが１回だけで次のＲＦＩＤタグは正常であるため続けて書き込みを行っている。一方、２回目のＲＦＩＤタグ書き込みエラーでは３回書き込みエラーが続いたため、搬送を停止する。
【００６０】
一方、ステップ９０２において、ＩＣチップ２０３に書き込む電子情報が存在しない（即ち、ＲＦＩＤデータコマンドがない）と判断された場合、ステップＳ９１５に進み、記録媒体の搬送を開始し、ＲＦＩＤタグへの書き込みは行わず、さらに、ステップＳ９１６では記録媒体の表面への記録を行う。この記録処理終了後、ステップＳ９１７では記録媒体をカッター部１０９に搬出する。なお、以上説明した記録処理はすべての記録画像、電子情報がなくなるまで繰り返される。
【００６１】
以上の説明から明らかなように、本実施形態によれば、ＲＦＩＤタグへの書き込みエラー発生時のエラー処理方法を使用状況に応じて選択することが可能となり、ユーザはエラー発生時の処理を最適化できるようになる。
【００６２】
［第２の実施形態］
上記第１の実施形態の図７（ｃ）、（ｄ）では、ＲＦＩＤタグへの書き込みエラー発生時に、搬送を停止せず次のＲＦＩＤタグに継続して書き込みを行うこととしたが、この場合、正常に書き込みの終了した記録媒体と、ＲＦＩＤタグ書き込みエラーが発生した記録媒体とが混在してしまうことになる。また、場合によっては、正常品とエラー品とを見分けるのが困難な状態が発生する恐れがある。そこで、本実施形態では、記録媒体のカットを利用して正常品とエラー品との混在を回避することとする。以下、図９〜図１１を用いて本実施形態にかかる記録装置における処理の詳細を説明する。
【００６３】
図９（ａ）はＲＦＩＤタグ書き込みエラー処理オペランド５１５の設定が搬送継続であって、かつ、書き込みエラータグ先端カットだった場合に、ＲＦＩＤタグ書き込みエラーが発生した際の処理を示している。図９（ｂ）はＲＦＩＤタグ書き込みエラー処理オペランド５１５の設定が搬送継続であって、かつ、書き込みエラータグ後端カットだった場合に、ＲＦＩＤタグ書き込みエラーが発生した際の処理を示している。
【００６４】
図９（ｃ）はＲＦＩＤタグ書き込みエラー処理オペランド５１５の設定が搬送継続であって、かつ、書き込みエラータグ両端カットだった場合に、ＲＦＩＤタグ書き込みエラーが発生した際の処理を示している。さらに、図９（ｄ）はＲＦＩＤタグ書き込みエラー処理オペランド５１５の設定が搬送継続であって、かつ、書き込みエラータグ記録媒体カットだった場合にＲＦＩＤタグ書き込みエラーが発生した際の処理を示している。
【００６５】
さらに、図１０（ａ）はＲＦＩＤタグへの書き込みエラー処理オペランド５１５のカット種類設定が全カットの場合のカット図を、図１０（ｂ）はＲＦＩＤタグ書き込みエラー処理オペランド５１５のカット種類設定が半カットの場合のカット図をそれぞれ示している。また、図１１はＲＦＩＤタグへの書き込みエラーが発生した場合のカット処理選択の流れを示したフローチャートである。なお、これらの処理は、記録装置１０１の処理部であるＣＰＵ６０１ａが、例えば、ＲＯＭ６０２に格納されたアプリケーションソフトを実行することにより実現される。
【００６６】
以下、図１１に示すフローチャートに沿って説明する。
【００６７】
記録枚数や用紙サイズ、ＲＦＩＤタグへの書き込みエラー発生時のカット設定、ＩＣチップ２０３の種類などの各種パラメータと記録画像、及びＩＣチップ２０３に書き込む電子情報は、記録処理を指示する制御コマンドと共にホスト１００から記録装置１０１に送信される。
【００６８】
このアプリケーションが起動されると、ステップＳ１１０１では、ホスト１００から送信される制御コマンドを受信し、記録画像についてはイメージバッファメモリ６０６Ｂｋ〜６０６Ｙに、その他、上述の電子情報についてはＲＡＭ６１２に記憶される。
【００６９】
記録画像や電子情報には夫々、情報の属性を示す付帯情報が加えられており、ステップＳ１１０１での受信を終了した後、ステップＳ１１０２では電子情報の有無を判断する。ここでは、ＲＦＩＤデータコマンドの有無を判断する。
【００７０】
ここで、ＲＦＩＤデータコマンドがある、即ち、ＩＣチップ２０３に記録する電子情報が存在すると判断された場合は、ステップＳ１１０３に進み、記録媒体の搬送を開始する。搬送開始後、記録媒体がＲＦＩＤ用通信アンテナ３０３の通信範囲位置７０１に搬送されると、ステップＳ１１０４では、ＲＦＩＤ用通信アンテナ３０３を介して内蔵されたＲＦＩＤタグ２０５への電子情報の書き込みが開始される。
【００７１】
さらに続いて、記録媒体が搬送され、記録位置（各記録ヘッドの直下）に達すると、ＲＦＩＤタグ２０５への書き込みと平行して、各記録ヘッド３０６Ｂｋ、３０６Ｃ、３０６ＬＣ、３０６Ｍ、３０６ＬＭ、３０６Ｙによってインクが吐出され、ＲＦＩＤタグ内蔵ラベル２０１上に記録画像が記録される。
【００７２】
ＲＦＩＤ２０５タグへの電子情報の書き込み終了後、ステップＳ１１０５では、書き込みが正常に終了したかどうかを調べる。ここで、その書き込みが正常に終了したと判断され、次の記録媒体に記録する記録画像が存在する場合は、次の記録媒体への記録を開始し、上述した処理を平行して実行する。そして、ＲＦＩＤタグ内蔵カード２０１の表面への記録終了後、ステップＳ１１１２で記録媒体をカッター部１０９に搬出する。
【００７３】
これに対して、ステップＳ１１０５での判断において、いくつかの記録媒体への電子情報の書き込みが成功した後、ＲＦＩＤタグ２０５への電子情報の書き込みが正常に終了しなかったと判断された場合には、ステップＳ１１０６に進み、エラーの発生した記録媒体への記録を中止する。記録中止後、ステップＳ１１０７に進み、ホスト１００から送信されたＲＦＩＤタグ書き込みエラー発生時の記録媒体のカット設定を確認し、ステップＳ１１０９に進みカット設定に応じた記録媒体のカットを行う。
【００７４】
記録媒体のカット設定にはカット位置とカット方法があり、カット位置としては、図９（ａ）に示すＲＦＩＤタグ書き込みエラーの発生した記録媒体の先端をカットする先端カット、図９（ｂ）に示すＲＦＩＤタグ書き込みエラーの発生した記録媒体の後端をカットする後端カット、図９（ｃ）に示すＲＦＩＤタグ書き込みエラーの発生した記録媒体の両端をカットする両端カット、図９（ｄ）に示すＲＦＩＤタグ書き込みエラーの発生した記録媒体の記録媒体上をカットする記録媒体カットがある。
【００７５】
続いてカット方法には、図１０（ａ）に示すように連続する記録媒体がカット面で分離するようにカットする全カットと、図１０（ｂ）に示すように連続する記録媒体がカット面で分離しないようにカットする半カットとがある。本実施形態では、ＲＦＩＤタグ書き込みエラーが発生しても搬送を停止せず、ステップＳ１１０３に進み、次の記録媒体に対してエラー発生時の電子情報および記録画像の書き込み／記録を続ける。
【００７６】
一方、ステップ１１０２において、ＩＣチップ２０３に書き込む電子情報が存在しない（即ち、ＲＦＩＤデータコマンドがない）と判断された場合、ステップＳ１１１０に進み、記録媒体の搬送を開始し、ＲＦＩＤタグへの書き込みは行わず、さらに、ステップＳ１１１１で記録媒体の表面への記録画像の記録を行う。この記録処理終了後、ステップＳ１１１２で記録媒体をカッター部１０９に搬出する。なお、以上説明した記録処理はすべての記録画像／電子情報がなくなるまで繰り返される。
【００７７】
以上の説明から明らかなように、本実施形態によれば、ＲＦＩＤタグへの書き込みエラー発生時に、当該エラー発生したＲＦＩＤタグを備える記録媒体に対してカット処理をすることで、エラーの発生したＲＦＩＤタグの判別を容易にすることが可能となる。
【００７８】
［第３の実施形態］
上記第１の実施形態ではＲＦＩＤタグへの書き込みエラー発生時の記録媒体の搬送動作の設定について説明し、上記第２の実施形態ではＲＦＩＤタグへの書き込みエラー発生時の記録媒体のカット設定について説明を行ったが、上記第１の実施形態と上記第２の実施形態とを組み合わせてもよい。
【００７９】
また、上記各実施形態ではフルラインタイプのインクジェット方式の記録装置について説明をしたが、インクジェット方式以外の記録ヘッドを持つ記録装置、すなわち感熱式、熱転写式、電子写真式等の他の記録方式、或いはモノクロの記録装置等にも適用可能であることはいうまでもない。
【００８０】
［他の実施形態］
上記第１実施形態では、長尺ラインヘッドを用いたインクジェット方式のラベル記録装置を例に説明したが、電子情報の書き込み／読み出しが可能なＲＦＩＤタグとの通信機能を有する記録装置であれば、特にこれに限定されるものではない。
【００８１】
例えば、記録媒体としてのプラスチックカード、カット紙等に内蔵されたＲＦＩＤタグと通信を行うＲＦＩＤ通信ドライバ内蔵のカード記録装置や、記録媒体としてのインクリボン等に内蔵されたＲＦＩＤタグと通信を行うＲＦＩＤ通信ドライバ内蔵の熱転写方式の記録装置などであってもよく、その記録方式に限定されるものではない。
【００８２】
また、記録装置は、記録媒体に内蔵されているＲＦＩＤタグに電子情報を書き込む装置や、記録媒体に内蔵されているＲＦＩＤタグより電子情報を読み出す装置を有してさえいればよく、ＲＦＩＤ通信装置の種類について限定されるものではない。
【００８３】
また、通信アンテナの位置は、ヘッド上流の記録媒体の上側に限らず、通信アンテナは、ヘッドの上流の下側、ヘッドの下（記録媒体の下側）、ヘッドの下流の上側、ヘッドの上流の下側に設けても良い。
【００８４】
また、使用するＲＦＩＤタグより、ＲＦＩＤタグに通信可能なＲＦＩＤ通信ドライバを取り替え、使用するＲＦＩＤタグによりメモリチェックの方法や、メモリチェックを実行する容量等を変更しても良い。
【００８５】
また、１種類のＲＦＩＤタグに限らず、複数種類のＲＦＩＤタグに通信可能なＲＦＩＤ通信ドライバを設け、使用するＲＦＩＤタグによりメモリチェックの方法や、メモリチェックを実行する容量等を変更しても良い。
【００８６】
尚、本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００８７】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００８８】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００８９】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【図面の簡単な説明】
【００９０】
【図１】本発明の代表的な実施形態であるＲＦＩＤタグ記録機能付きインクジェット記録装置とホストコンピュータとを接続した記録システムの構成図である。
【図２】ＲＦＩＤタグを内蔵した記録媒体の構成概略図である。
【図３】図１に示した記録装置の構成概略を示す側断面図である。
【図４】図１に示した記録装置に搭載するインクジェット記録ヘッド及びＲＦＩＤ用通信アンテナの配列を模式的に説明する斜視図である。
【図５】図１に示した記録装置の制御機能構成を示すブロック図である。
【図６】図１に示した記録装置の制御コマンド体系を示す図である。
【図７】第１の実施形態にかかる記録装置におけるＲＦＩＤタグ通信時の記録処理の遷移を示す図である。
【図８】第１の実施形態にかかる記録装置における記録処理の流れを示すフローチャートである。
【図９】第２の実施形態にかかる記録装置におけるＲＦＩＤタグ書き込みエラー時の記録媒体のカット位置を示す図である。
【図１０】第２の実施形態にかかる記録装置におけるＲＦＩＤタグのカット方法を示す図である。
【図１１】第２実施形態にかかる記録装置における記録処理の流れを示すフローチャートである。
【符号の説明】
【００９１】
１００  ホストコンピュータ
１０１  記録装置
１０２  給紙部
１０３  上部カバー
１０４  前カバー
１０５  電源スイッチ
１０６  操作パネル
１０７  プリンタケーブル
１０８  記録部
１０９  カッター部
１１０  ＬＥＤ
１１１  ＬＣＤ
１１２  ボタン
２００  ＲＦＩＤタグ内蔵連続ラベル紙
２０１  ＲＦＩＤタグ内蔵ラベル紙
２０２  ループアンテナ
２０３  ＩＣチップ
２０４  フィルム
２０５  ＲＦＩＤタグ
【図１】
2007007962.tif 000003
【図２】
2007007962.tif 000004
【図３】
2007007962.tif 000005
【図４】
2007007962.tif 000006
【図５】
2007007962.tif 000007
【図６】
2007007962.tif 000008
【図７】
2007007962.tif 000009
【図８】
2007007962.tif 000010
【図９】
2007007962.tif 000011
【図１０】
2007007962.tif 000012
【図１１】
2007007962.tif 000013